(57)【特許請求の範囲】
【請求項１】
伸縮性を有するクロール、バタフライ、または平泳ぎの競泳用水着において、該水着の生地本体よりも伸縮度の強い素材から成る姿勢制御用生地を前記水着の生地裏面に縫製または接着し、該姿勢制御用生地が肩掛け形状部で背中部方向に帯状に延び両大腿部、脚部足首上部に周着され前記帯状の背中部が緊締された状態にて水着生地裏面に縫製または接着されていること、
を特徴とするスポーツ競技姿勢を制御する競技用水着。
【請求項２】
伸縮性を有する素材にて交編または交織されるクロール、バタフライ、または平泳ぎの競泳用水着の生地本体において、該生地本体の中に切り替えしにより生地本体よりも伸縮度の強い交編部または交織部を加え、該交編部または交織部を姿勢制御用生地部となし、該姿勢制御用生地部が、肩掛け形状部で背中部方向に帯状に延び両大腿部、両脚部足首上部に周着され、前記帯状の背中部を緊締した状態に交編または交織されていること、
を特徴とするスポーツ競技姿勢を制御する競技用水着。
【請求項３】
伸縮性を有する背泳ぎの競泳用水着において、該水着の生地本体よりも伸縮度の強い素材から成る姿勢制御用生地を前記水着の生地裏面に縫製または接着し該姿勢制御用生地が肩掛け形状部で腹部方向に延び両大腿部、脚部足首上部に周着され前記腹部が緊締された状態にて水着生地裏面に縫製または接着されていること、
を特徴とするスポーツ競技姿勢を制御する競技用水着。
【請求項４】
伸縮性を有する素材にて交編または交織される背泳ぎ競泳用水着の生地本体において、該生地本体の中に切り替えしにより生地本体よりも伸縮度の強い交編部または交織部を加え、該交編部または交織部を姿勢制御用生地部となし、該姿勢制御用生地部が肩掛け形状部で腹部方向に延び両大腿部、両脚部足首上部に周着され、前記腹部が緊締された状態に交編または交織されていること、
を特徴とするスポーツ競技姿勢を制御する競技用水着。
〔請求項５〕
前記姿勢制御用生地、または姿勢制御用生地部は、ナイロン、ポリウレタン系の伸縮度の強い伸縮性繊維をメッシュ状に交編または交織したパワーメッシュにより構成され、該パワーメッシュは肩掛け形状部で腹部方向に延び両大腿部、両脚部足首上部に周着され、前記背中部または腹部が緊締された状態にされていること、
を特徴とする請求項１乃至請求項４の何れかに記載されたスポーツ競技姿勢を制御する競技用水着。
【発明の詳細な説明】
【技術分野】
【０００１】
本発明は、競泳等、１／１００秒を競うスポーツ競技において、選手が着用することにより当該スポーツ競技の基本姿勢を維持して制御できる競技用ウェア、より詳細には、クロール、バタフライ、平泳ぎ、背泳ぎ等の競技用水着に関するものである。
【０００２】
競泳のクロール、バタフライ、平泳ぎ、背泳ぎ等においては、例えば、競泳中に疲れがでてくると足が下がり、基本の姿勢を維持できなくなり、基本姿勢が崩れて変わると投影面積が増えることにより流水抵抗が増大して良い記録が生じないことが明らかである。
【０００３】
而して、本発明は、競泳等、１／１００秒を競うスポーツ競技において、競泳用の水着の中に当該スポーツ競技のプレイにおける最良の基本姿勢を維持して制御するための機構を備え、選手が競技中に同一基本姿勢を維持できるように補助して疲労の軽減を図り、該基本姿勢を維持することにより低抵抗の最良の姿勢を維持できるよう制御可能とする競技用ウェアを提供するものである。
【背景技術】
【０００４】
従来、スポーツウェアにおいて、被服圧を加えることにより、筋力の補強や筋力を強化して運動機能の増大を促すものが、特許文献１（特許第３０１２８１９号公報）や特許文献２（特開２００５−１４６４５０号公報）にて開示されている。
【０００５】
更に、特許文献３（特開２００１−３２１０４号公報）には、女子の競泳用水着において、体幹部から大腿部や下腿部まで連続的に生地で覆い、男子の競泳用水着においては、ウエスト部から大腿部や下腿部まで覆うか、もしくは体幹部から大腿部や下腿までを連続的に生地で覆うことで、該競泳水着に用いられる伸縮性生地の作用に由来する体長方向のサポート力により、競技者は競泳中に頭部の位置に対して腰、膝、足先の位置を水面に対して平行な姿勢を保つことが容易になり、該姿勢の保持により抵抗を軽減する技術が開示されている。
【０００６】
然しながら、本発明の如く、競泳等、１／１００秒を競うスポーツ競技において、競泳用の水着の中に当該スポーツ競技のプレイにおける最良の基本姿勢を維持して制御するための機構を備え、選手が競泳中に同一基本姿勢を維持できるように補助して疲労の軽減を図り、該基本姿勢を維持することで低抵抗の最良の姿勢を維持できるよう制御する競技用の水着を提供するものは皆無であった。
【特許文献１】特許第３０１２８１９号公報
【特許文献２】特開２００５−１４６４５０号公報
【特許文献３】特開２００１−３２１０４号公報
【発明の開示】
【発明が解決しようとする課題】
【０００７】
競泳のクロール、バタフライ、平泳ぎ、背泳ぎ等の場合において、競泳中に疲労してくると必然的に足が下がってしまい、低抵抗の最良の姿勢を維持できなくなり、その結果流水抵抗が増大してしまい良い記録が生じないことは明らかである。
【０００８】
而して、本発明は、競泳等、１／１００秒を競うスポーツ競技において、競泳用の水着の中に当該スポーツ競技のプレイにおける最良の基本姿勢を維持して制御するための機構を備え、選手が競技中に同一基本姿勢を常時維持できるように補助して疲労の軽減を図り、該基本姿勢を維持することで低抵抗の最良の姿勢を維持できるよう制御する競技用ウェアを提供するものである。
【課題を解決するための手段】
【０００９】
本発明は、伸縮性を有するクロール、バタフライ、または平泳ぎの競泳用水着において、該水着の生地本体よりも伸縮度の強い素材から成る姿勢制御用生地を前記水着の生地裏面に縫製または接着し、該姿勢制御用生地が肩掛け形状部で背中部方向に帯状に延び両大腿部、脚部足首上部に周着され前記帯状の背中部が緊締された状態にて水着生地裏面に縫製または接着されていることをもってその要旨とする。
【００１０】
また、本発明は、伸縮性を有する素材にて交編または交織されるクロール、バタフライ、または平泳ぎの競泳用水着の生地本体において、該生地本体の中に切り替えしにより生地本体よりも伸縮度の強い交編部または交織部を加え、該交編部または交織部を姿勢制御用生地部となし、該姿勢制御用生地部が、肩掛け形状部で背中部方向に帯状に延び両大腿部、両脚部足首上部に周着され、前記帯状の背中部を緊締した状態に交編または交織されていることにも要旨がある。
【００１１】
更に、本発明は、伸縮性を有する背泳ぎの競泳用水着において、該水着の生地本体よりも伸縮度の強い素材から成る姿勢制御用生地を前記水着の生地裏面に縫製または接着し該姿勢制御用生地が肩掛け形状部で腹部方向に延び両大腿部、脚部足首上部に周着され前記腹部が緊締された状態にて水着生地裏面に縫製または接着されていることを要旨とする。
【００１２】
更にまた、本発明は、伸縮性を有する素材にて交編または交織される背泳ぎ競泳用水着の生地本体において、該生地本体の中に切り替えしにより生地本体よりも伸縮度の強い交編部または交織部を加え、該交編部または交織部を姿勢制御用生地部となし、該姿勢制御用生地部が肩掛け形状部で腹部方向に延び両大腿部、両脚部足首上部に周着され、前記腹部が緊締された状態に交編または交織されていることをも要旨としている。
【００１３】
そして、本発明において、前記姿勢制御用生地、または姿勢制御用生地部は、ナイロン、ポリウレタン系の伸縮度の強い伸縮性繊維をメッシュ状に交編または交織したパワーメッシュにより構成され、該パワーメッシュは肩掛け形状部で腹部方向に延び両大腿部、両脚部足首上部に周着され、前記背中部または腹部が緊締された状態にされていることにも要旨がある。
【発明の効果】
【００１４】
而して、本発明は、上述の課題の解決手段を用いることにより、競泳等、１／１００秒を競うスポーツ競技において、競技用ウェアの中に当該スポーツ競技のプレイにおける最良の基本姿勢を維持して制御するための機構を備え、選手が競技中に同一基本姿勢を維持できるように補助して疲労の軽減を図り、該基本姿勢を維持することで低抵抗の最良の姿勢を維持できるよう制御する競泳用水着を提供することができるものである。
【００１５】
具体的には、上記競泳用水着において、競泳のクロール、バタフライ、平泳ぎ、背泳ぎの場合等では、競泳中に競泳者が疲労してくると足が下がり、流水抵抗が増大することになり、この競技においても、好記録が期待できなくなるが、本発明は、この点を防止して好記録が期待できる競泳用水着を提供することができた。
【発明を実施するための最良の形態】
【００１６】
本発明は、伸縮性を有するクロール、バタフライ、または平泳ぎの競泳用水着において、該水着の生地本体よりも伸縮度の強い素材から成る姿勢制御用生地を前記水着の生地裏面に縫製または接着し、該姿勢制御用生地が肩掛け形状部で背中部方向に帯状に延び両大腿部、脚部足首上部に周着され前記帯状の背中部が緊締された状態にて水着生地裏面に縫製または接着されていることが好ましい。
【００１７】
また、本発明は、伸縮性を有する素材にて交編または交織されるクロール、バタフライ、または平泳ぎの競泳用水着の生地本体において、該生地本体の中に切り替えしにより生地本体よりも伸縮度の強い交編部または交織部を加え、該交編部または交織部を姿勢制御用生地部となし、該姿勢制御用生地部が、肩掛け形状部で背中部方向に帯状に延び両大腿部、両脚部足首上部に周着され、前記帯状の背中部を緊締した状態に交編または交織されていることが好ましい。
【００１８】
更に、本発明は、伸縮性を有する背泳ぎの競泳用水着において、該水着の生地本体よりも伸縮度の強い素材から成る姿勢制御用生地を前記水着の生地裏面に縫製または接着し該姿勢制御用生地が肩掛け形状部で腹部方向に延び両大腿部、脚部足首上部に周着され前記腹部が緊締された状態にて水着生地裏面に縫製または接着されていることが好ましい。
【００１９】
更にまた、本発明は、伸縮性を有する素材にて交編または交織される背泳ぎ競泳用水着の生地本体において、該生地本体の中に切り替えしにより生地本体よりも伸縮度の強い交編部または交織部を加え、該交編部または交織部を姿勢制御用生地部となし、該姿勢制御用生地部が肩掛け形状部で腹部方向に延び両大腿部、両脚部足首上部に周着され、前記腹部が緊締された状態に交編または交織されていることが好ましい。
【００２０】
そして、本発明において、前記姿勢制御用生地、または姿勢制御用生地部は、ナイロン、ポリウレタン系の伸縮度の強い伸縮性繊維をメッシュ状に交編または交織したパワーメッシュにより構成され、該パワーメッシュは肩掛け形状部で腹部方向に延び両大腿部、両脚部足首上部に周着され、前記背中部または腹部が緊締された状態にされていることにも好ましい。
【００２１】
尚、本発明は、主として前述のような１／１００秒を争う競技に最適であるが、それに限らず一般的な競技ウェア、あるいは練習用ウェア等、としても広く用い得ることも当然である。
また、本文中に言う「生地本体よりも強い伸縮度」を、身体に対応する部位毎に変え一律の伸縮度とはしないこと、もまた可能であることも念のため付け加えておきたい。
【実施例１】
【００２２】
図１乃至図２は、本発明の実施例１を説明するもので、図１は競泳用水着の断面形状を示す説明図、図２（ａ）、（ｂ）は本発明の実施例１を説明するもので、クロール、バタフライ、平泳ぎの用￥競泳用水着を示している。そして、図２（ａ）は実施例１の競泳用水着を示す正面図であり、図２（ｂ）は図１（ａ）の背面図を示している。
【００２３】
図１において、１は競泳用水着の生地本体、２は姿勢制御用生地で、該競泳用用水着の生地本体１と姿勢制御用生地２は縫製または接着にて一体化されており本発明のスポーツ競技姿勢を制御する競泳用水着３が構成されている。
尚、図１において、４は生地表面、５は生地裏面として図示している。
【００２４】
図２において、６はクロール、バタフライ、平泳ぎの競泳用水着、２は水着の生地裏面５に縫製または接着されている姿勢制御用生地、或いは、上記競泳用水着６の生地本体１の中に切り替えしにより形成され生地本体１よりも伸縮度の強い交編部または交織部から成る姿勢制御用生地部２’を示している。
【００２５】
而して、実施例１は、伸縮性を有するクロール、バタフライ、平泳ぎの競泳用水着６において、該水着６の生地本体１よりも伸縮度の強い素材から成る姿勢制御用生地２を前記水着６の生地裏面５に縫製または接着し、該姿勢制御用生地２が競泳時に背中部７より両大腿部８、両脚部足首上部９を引っ張り、足が下がらないようにしたスポーツ競技姿勢を制御するクロール、バタフライ、平泳ぎの競泳用水着６を提供している。
【００２６】
前記クロール、バタフライ、平泳ぎの競泳用水着６における生地本体１の生地裏面５に縫製または接着される姿勢制御用生地２は、肩掛け形状部１１で背中部７方向に帯状に延びて両大腿部８、両脚部足首上部９に周着され前記帯状の背中部７が緊締された状態にてクロール、バタフライ、平泳ぎの競泳用水着６の生地裏面５に縫製、またはスポット接着やパウダー接着にて固着されている。
【００２７】
また、他の実施例１は、伸縮性を有する素材にて交編または交織されるクロール、バタフライ、平泳ぎの競泳用水着６の生地本体１において、該生地本体１の中に切り替えしにより生地本体１よりも伸縮度の強い交編部または交織部を加え、該交編部または交織部を姿勢制御用生地部２’となし、該姿勢制御用生地部２’にて競泳時に背中部７より両大腿部８、両脚部足首上部９を引っ張り、競泳中に足が下がらないようにしたスポーツ競技姿勢を制御するクロール、バタフライ、平泳ぎの競技用水着６を提供している。
【００２８】
前記クロール、バタフライ、平泳ぎの競泳用水着６の生地本体１の中に切り返しにより形成され生地本体１よりも伸縮度の強い交編部または交織部から成る姿勢制御用生地部２’は、肩掛け形状部１０で背中部７方向に帯状に延びて両大腿部８、両脚部足首上部９に周着され、前記帯状の背中部７を緊締した状態に交編または交織されている。
【００２９】
而して、本発明の実施例１に使用された姿勢制御用生地２、または姿勢制御用生地部２’は、例えばナイロン、ポリウレタン系の伸縮度の強い伸縮性繊維をメッシュ状に交編または交織した、所謂パワーメッシュにより構成されており、該パワーメッシュは肩掛け形状部１１で背中部７方向に延び両大腿部８、両脚部足首上部９に周着され、前記背中部７が緊締された状態にされていることにも実施例１の応用例となる。
【実施例２】
【００３０】
図３（ａ）、（ｂ）、は本発明の実施例２を説明するもので、背泳ぎの競泳用水着を示している。そして、図３（ａ）は実施例２の競泳用水着を示す正面図であり、図３（ｂ）は図３（ａ）の背面図を示している。
【００３１】
図３において、１１は背泳ぎの競泳用水着、２は水着の生地裏面５に縫製または接着されている姿勢制御用生地、或いは、背泳ぎ競泳用水着１１の生地本体１の中に切り替えしにより形成され生地本体１よりも伸縮度の強い交編部または交織部から成る姿勢制御用生地部２’を示している。
【００３２】
而して実施例２は、伸縮性を有する背泳ぎの競泳用水着１１において、該水着１１の生地本体１よりも伸縮度の強い素材から成る姿勢制御用生地２を前記水着１２の生地裏面５に縫製、または接着し、該姿勢制御用生地２が競泳時に腹部側１２より両大腿部８を引っ張り、競泳中に足が下がらないようにしたスポーツ競技姿勢を制御する背泳ぎ競技用水着１１を提供している。
【００３３】
前記背泳ぎ競泳用水着１１の生地本体１の生地裏面５に縫製または接着される姿勢制御用生地２は、肩掛け形状部１０で腹部１２方向に延びて両大腿部８、両脚部足首上部９に周着され前記腹部１２が緊締された状態にて背泳ぎ競技用水着１１の生地裏面５に縫製、または所謂スポット接着やパウダー接着にて固着されている。
【００３４】
また、実施例２においては、伸縮性を有する素材にて交編または交織される背泳ぎ競泳用水着１１の生地本体１において、該生地本体１の中に切り替えしにより生地本体１よりも伸縮度の強い交編部または交織部を加え、該交編部または交織部を姿勢制御用生地部２’となし、該姿勢制御用生地部２’にて競泳時に腹部側１２より両大腿部８を引っ張り、足が下がらないようにしたスポーツ競技姿勢を制御する背泳ぎ競技用水着１１を提供ししている。
【００３５】
前記背泳ぎ競泳用水着１１の生地本体１の中に切り替えしにより形成される生地本体１よりも伸縮度の強い交編部または交織部から成る姿勢制御用生地部２’は肩掛け形状部１０から腹部１２方向に延びて両大腿部８、両脚部足首上部９に周着され、前記腹部１２が緊締された状態に交編または交織されている。
【００３６】
而して、本発明の実施例２に使用された姿勢制御用生地２、または姿勢制御用生地部２’は、例えばナイロン、ポリウレタン系の伸縮度の強い伸縮性繊維をメッシュ状に交編または交織した、所謂パワーメッシュにより構成されており、該パワーメッシュは肩掛け形状部１０で腹部１２方向に延び両大腿部８、両脚部足首９上部に周着され、前記腹部１２が緊締された状態にされていることも実施例２の応用例となる。
【産業上の利用可能性】
【００３７】
斯くして、本発明は、競泳等、１／１００秒を競うスポーツ競技において、競技用ウェアの中に当該スポーツ競技のプレイにおける最良の基本姿勢を維持して制御するための機構を備え、選手が競技中に同一基本姿勢を維持できるように補助して疲労の軽減を図り、該基本姿勢を維持することで低抵抗の最良の姿勢を維持できるよう制御する競泳用水着を提供するものであると言える。そして該新素材を用いた新規な技術思想を有する競泳用水着の製造は、産業上頗る利用価値の大きいものである。
【図面の簡単な説明】
【００３８】
【図１】本発明の実施例１を説明する競技用水着の部分拡大断面図である。
【図２】本発明の実施例１を説明する正面図及び背面図である。
【図３】本発明の実施例２を説明する正面図及び背面図である。
【符号の説明】
【００３９】
１  競泳用水着の生地本体
２  姿勢制御用生地
２’姿勢制御用生地部
３  競泳用水着
４  生地表面
５  生地裏面
６  クロール、バタフライ、平泳ぎの競泳用水着
７  背中部
８  両大腿部
９  両脚部足首上部
１０  肩掛け形状部
１１  背泳ぎの競泳用水着
１２  腹部側
【図１】
0004549375.tif 000002
【図２】
0004549375.tif 000003
【図３】
0004549375.tif 000004